(57)【特許請求の範囲】
【請求項１】
光ピックアップの対物レンズを保持する対物レンズ保持手段と、
垂直に配置された板状の支持板部と、該支持板部の下部に適当な間隔を空けて相互に水平な状態で該支持板部から延出するように配置された一対の底板部とを有し、前記支持板部の両側の側面における所定の部分および前記各底板部のそれぞれの外側の側面における各３つの部分が光ピックアップのハウジングに固定される固定手段と、
前記対物レンズ保持手段に一体的に設けられ、該対物レンズ保持手段をフォーカス方向またはトラッキング方向に移動させる作用力を発生する可動側作用力発生源と、
前記固定手段の支持板部に対して、前記対物レンズ保持手段をトラッキング方向及びフォーカス方向に移動可能に弾性支持する第１弾性支持手段と、
前記固定手段における前記一対の底板部の間に位置するように配置されており、前記可動側作用力発生源を所定方向に駆動するための作用力を発生する固定側作用力発生源と、
前記固定手段の前記支持板部に対して、前記固定側作用力発生源を上下方向への移動可能に弾性支持する第２弾性支持手段とを備え、
前記ハウジングに固定される前記固定手段の前記各３つのそれぞれの部分は、それぞれの部分によって三角柱を形成し、対物レンズアクチュエータ全体の重心の位置がこの三角柱の内部に含まれるように配置されていることを特徴とする対物レンズアクチュエータ。
【請求項２】
光ピックアップの対物レンズを保持する対物レンズ保持手段と、
垂直に配置された板状の支持板部と、該支持板部の両側部に相互に平行な垂直状態で該支持板部から垂直に延出するように配置された一対の側板部とを有し、該一対の側板部の外側の側面における各４つの部分が、光ピックアップのハウジングに固定される固定手段と、
前記対物レンズ保持手段に一体的に設けられ、該対物レンズ保持手段をフォーカス方向またはトラッキング方向に移動させる作用力を発生する可動側作用力発生源と、
前記固定手段の支持板部に対して、前記対物レンズ保持手段をトラッキング方向及びフォーカス方向に移動可能に弾性支持する第１弾性支持手段と、
前記可動側作用力発生源を所定方向に駆動するための作用力を発生する固定側作用力発生源と、
前記固定手段の前記支持板部に対して、前記固定側作用力発生源を上下方向への移動可能に弾性支持する第２弾性支持手段とを備え、
前記ハウジングに固定される前記固定手段の前記各４つのそれぞれの部分は、それぞれの部分によって四角柱を形成し、対物レンズアクチュエータ全体の重心の位置がこの四角柱の内部に含まれるように配置されていることを特徴とする対物レンズアクチュエータ。
【発明の詳細な説明】
【０００１】
【発明の属する技術分野】
本発明は、光ディスクに入射させる入射光をピックアップする光ピックアップにおける対物レンズを、光ディスクの面振れ等の動きに追随可能に保持する対物レンズアクチュエータに関する。
【０００２】
【従来の技術】
図７は、光ディスク装置の一種である光磁気ディスク装置１を示している。
【０００３】
この光磁気ディスク装置１は、平板状のメカシャーシ２のほぼ中央に光磁気ディスク６を回転させるためのスピンドルモータ３を有し、スピンドルモータ３によって光磁気ディスク６が水平状態で回転される。スピンドルモータ３の側方には、光磁気ディスク６に向けて光を照射するための光ピックアップ４が設けられている。
【０００４】
光ピックアップ４は、スライドブロック４ａ上に形成されており、光ピックアップ４の上部には、光磁気ディスク６に向かって光を収束して照射する対物レンズ９が設けられている。スライドブロック４ａは、相互に平行に設けられた２本のガイド軸８によって光磁気ディスク６の半径方向に沿って移動可能に支持されている。スライドブロック４ａは、メカシャーシ２の一方の側部上に設けられた送り機構７によって、光磁気ディスク６の半径方向に沿って移動される。
【０００５】
光ピックアップ４の上方には、磁気ヘッドユニット５が設けられている。この磁気ヘッドユニット５は、光磁気ディスク６の上方にて光磁気ディスク６に沿って配置されたサスペンション５ａを有している。サスペンション５ａは、スライドブロック４ａの側部上に固定された支持部５ｂに、一方の端部が支持されており、その先端部に磁気ヘッド５ｄ（図９参照）が設けられたスライダ部５ｃが光磁気ディスク６に対向して設けられている。スライダ部５ｃの磁気ヘッド５ｄは、光ピックアップ４から光が光磁気ディスク６に照射される光に対向するように設けられており、サスペンション５ａは、光磁気ディスク６の面振れに対して弾性変形し、先端のスライダ部５ｃが、光磁気ディスク６の面振れに追随して変位し、磁気ヘッド５ｄが光磁気ディスク６に対して一定の位置を保持するようになっている。
【０００６】
光ピックアップ４に設けられた対物レンズ９は、図示しないレーザ光源から出射する光を、光磁気ディスク６の上面に集光させる。対物レンズ９は、後述の対物レンズアクチュエータ１０により、フォーカス方向、トラッキング方向に移動可能に支持されており、光磁気ディスク６の面振れやトラックの偏心に追従できるようになっている。
【０００７】
図９は、光ピックアップ４から照射される光照射によって、光磁気ディスク６に所要の情報を記録する動作を説明するための説明図である。
【０００８】
光磁気ディスク６は、ディスク基板６ａの表面に記録媒体６ｂが設けられて構成されており、光ピックアップ４の対物レンズ９によって光磁気ディスク６上にビームスポットが集光されると、光磁気ディスク６のディスク基板６ａの上方側に形成された記録媒体６ｂの温度が上昇し、記録媒体６ｂの保磁力が小さくなる。光磁気ディスク６の記録媒体６ｂの上方には、スライダ部５ｃに設けられた磁気ヘッド５ｄから磁界が与えられており、光磁気ディスク６の記録媒体６ｂの保磁力が小さくなった部分が容易に磁化される。このような原理により、光磁気ディスク６における記録媒体６ｂの光が集光された部分を磁化することにより、光磁気ディスク６の記録媒体６ｂに情報が記録される。
【０００９】
次に、光ピックアップ４の対物レンズ９を支持する対物レンズアクチュエータ１０について、図８に基づいて詳細に説明する。
【００１０】
図８（ａ）は、対物レンズアクチュエータ１０の概略構成を示す斜視図、図８（ｂ）は、その側面図である。
【００１１】
対物レンズアクチュエータ１０は、光ピックアップ４の対物レンズ９を水平状態で保持する対物レンズホルダ１１と、対物レンズホルダ１１を保持するアクチュエータベース１３と、アクチュエータベース１３に対して対物レンズ１１を弾性的に支持する４本の平行に配置された支持ワイヤ１２とを有している。
【００１２】
アクチュエータベース１３は、対物レンズホルダ１３とは適当な間隔を空けて垂直に配置された支持板部１３ａと、この支持板部１３ａの下端部に水平方向に延出するように取り付けた底板部１３ｂとを有しており、側面視で略Ｌ字状になるように形成されている。
【００１３】
対物レンズホルダ１１は、垂直に配置された板状のホルダ支持部１１ａの上部にアクチュエータベース１３の支持板部１３ａから離れる方向に水平に延出したホルダー部１１ｂが設けられており、ホルダー部１１ｂの中央部に対物レンズ９が水平状態で支持されている。そして、対物レンズ９の下方に配置された光照射部４ｂから照射される光が対物レンズ９を通って上方の光磁気ディスク６に照射される。
【００１４】
対物レンズホルダ１１とアクチュエータベース１３との間には、フォーカスコイル１６及びトラッキングコイル１７が対物レンズホルダ１１の後部に取り付けられている。アクチュエータベース１３の底板部１３ｂの上部には、ヨーク１４が形成されている。
【００１５】
ヨーク１４は、アクチュエータベース１３の底板部１３ｂに共通化された連結部１４ａと、連結部１４ａの一方の側部上に設けられた第１のヨーク部１４ｂと、連結部１４ａの他方の側部上に対物レンズホルダ１１のホルダ支持部１１ａに沿って垂直状態で設けられた第２のヨーク部１４ｃとを有している。第１のヨーク部１４ｂには、アクチュエータベース１３の支持板部１３ａに対して遠方側の表面に第１の永久磁石１５ａが第１のヨーク部１４ｂに沿って設けられている。また、第２のヨーク部１４ｃには、第１の永久磁石１５ａと対向する表面に第２の永久磁石１５ｂが、第２のヨーク部１４ｃに沿って設けられている。
【００１６】
そして、これらヨーク１４及び一対の永久磁石１５ａ及び１５ｂによって、磁気回路１８が構成されている。
【００１７】
対物レンズホルダ１１のホルダ支持部１１ａには、第２のヨーク部１４ｃ及び第２の永久磁石１５ｂを取り囲むように、フォーカスコイル１６が一体的に取り付けられており、フォーカスコイル１６における第１の永久磁石１５ａに対向する面に左右一対のトラッキングコイル１７が取り付けられている。
【００１８】
対物レンズホルダ１１は、ホルダ支持部１１ａがフォーカスコイル１６に沿うように垂直に配置されており、ヨーク１４の左右の各側方をそれぞれ水平状態で通過する上下各一対の支持ワイヤ１２のそれぞれの他方の端部にて上下方向及び左右方向に平行移動可能に支持されている。
【００１９】
フォーカスコイル１６または各トラッキングコイル１７に電流が流れると、フォーカス方向（光磁気ディスク６に垂直な方向）またはトラッキング方向（光磁気ディスク６に沿った方向）に磁束が発生し、この磁束と各永久磁石１５ａ及び１５ｂと各ヨーク部１４ｂ及び１４ｃによって発生する磁束とが相互作用することにより、対物レンズホルダ１１が、フォーカス方向またはラジアル方向に力を受け、対物レンズ９がフォーカス方向及びトラッキング方向に変位される。
【００２０】
アクチュエータベース１３は、支持板部１３ａ及び底板部１３ｂの所定の位置に設けられた複数の接着部Ａ、Ｂ、Ｃ及びＡ’、Ｂ’、Ｃ’を有しており、この各接着部Ａ、Ｂ、Ｃ及びＡ’、Ｂ’、Ｃ’と図示しないハウジングとを接着材で接着することにより、対物レンズアクチュエータをハウジング内に固定されている。
【００２１】
このような構成の光ディスク装置１０において、図８（ｂ）に示すように、フォーカスサーボを行うために、対物レンズホルダ１０をフォーカス方向（矢印Ａ方向）に変位させた場合、Ａ方向への力に対する矢印Ｂ方向の反力がヨーク１４に加わる。この反力によって発生する振動は、図７におけるピックアップ４及びガイド軸８を介してスピンドルモータ３に達し、光磁気ディスク６を振動させるという問題を生じる。
【００２２】
このような反力の発生を防ぐために、図１０に示す対物レンズアクチュエータ２０においては、アクチュエータベース１３の支持板部１３ａに上下に２枚の平行板バネ２１によりヨーク１４を弾性支持し、この板バネ２１の弾性変位によって反力により発生する振動を吸収するようにしている。
【００２３】
この対物レンズアクチュエータ２０においては、対物レンズアクチュエータ１０と異なり、アクチュエータベース１３の高さが増さないように、ヨーク１４の下方にアクチュエータベース１３の底板部１３ｂを配置しない構成となっている。したがって、この対物レンズアクチュエータ２０においては、アクチュエータベース１３の支持板部１３ａでのみ、図示されていないハウジングに接着固定されている。
【００２４】
【発明が解決しようとする課題】
しかし、対物レンズアクチュエータ２０の構造では、アクチュエータベース１３の接着部Ａ、Ｂ及びＡ’、Ｂ’が、アクチュエータベース１３の支持板部１３ａ上にのみに設けられており、平面上に並ぶ配置となっているので、対物レンズアクチュエータ２０全体の重心をおおう配置となっていない。したがって、対物レンズアクチュエータ２０が振動を受けた場合等には、アクチュエータベース１３の接着部Ａ、Ｂ及びＡ’、Ｂ’にモーメントが加わり、アクチュエータベース１３の接着部Ａ、Ｂ及びＡ’、Ｂ’がハウジングから外れ易くなり、ハウジングから落下してしまうおそれがある。
【００２５】
本発明は、上記問題点に鑑みてなされたものであり、対物レンズの変位に伴う反力によって発生する振動を吸収することができるとともに、振動によってハウジングから外れることを防止することができる対物レンズアクチュエータを提供することを目的とする。
【００２６】
【課題を解決するための手段】
本発明の対物レンズアクチュエータは、光ピックアップの対物レンズを保持する対物レンズ保持手段と、垂直に配置された板状の支持板部と、該支持板部の下部に適当な間隔を空けて相互に水平な状態で該支持板部から延出するように配置された一対の底板部とを有し、前記支持板部の両側の側面における所定の部分および前記各底板部のそれぞれの外側の側面における各３つの部分が光ピックアップのハウジングに固定される固定手段と、前記対物レンズ保持手段に一体的に設けられ、該対物レンズ保持手段をフォーカス方向またはトラッキング方向に移動させる作用力を発生する可動側作用力発生源と、前記固定手段の支持板部に対して、前記対物レンズ保持手段をトラッキング方向及びフォーカス方向に移動可能に弾性支持する第１弾性支持手段と、前記固定手段における前記一対の底板部の間に位置するように配置されており、前記可動側作用力発生源を所定方向に駆動するための作用力を発生する固定側作用力発生源と、前記固定手段の前記支持板部に対して、前記固定側作用力発生源を上下方向への移動可能に弾性支持する第２弾性支持手段とを備え、前記ハウジングに固定される前記固定手段の前記各３つのそれぞれの部分は、それぞれの部分によって三角柱を形成し、対物レンズアクチュエータ全体の重心の位置がこの三角柱の内部に含まれるように配置されていることを特徴とする。
【００２８】
また、本発明の対物レンズアクチュエータは、光ピックアップの対物レンズを保持する対物レンズ保持手段と、垂直に配置された板状の支持板部と、該支持板部の両側部に相互に平行な垂直状態で該支持板部から垂直に延出するように配置された一対の側板部とを有し、該一対の側板部の外側の側面における各４つの部分が、光ピックアップのハウジングに固定される固定手段と、前記対物レンズ保持手段に一体的に設けられ、該対物レンズ保持手段をフォーカス方向またはトラッキング方向に移動させる作用力を発生する可動側作用力発生源と、前記固定手段の支持板部に対して、前記対物レンズ保持手段をトラッキング方向及びフォーカス方向に移動可能に弾性支持する第１弾性支持手段と、前記可動側作用力発生源を所定方向に駆動するための作用力を発生する固定側作用力発生源と、前記固定手段の前記支持板部に対して、前記固定側作用力発生源を上下方向への移動可能に弾性支持する第２弾性支持手段とを備え、前記ハウジングに固定される前記固定手段の前記各４つのそれぞれの部分は、それぞれの部分によって四角柱を形成し、対物レンズアクチュエータ全体の重心の位置がこの四角柱の内部に含まれるように配置されていることを特徴とする。
【００３０】
【発明の実施の形態】
（実施の形態１）
以下、本発明に係る対物レンズアクチュエータについて、図面に基づいて説明する。
【００３１】
図１は、本発明の実施の形態１の対物レンズアクチュエータ３０を示す全体斜視図、図２は、その対物レンズアクチュエータ３０の側面図、図３は、対物レンズアクチュエータのアクチュエータベースを示す斜視図である。
【００３２】
対物レンズアクチュエータ３０は、光ピックアップ４の対物レンズ９を水平状態で保持する対物レンズホルダ１１と、対物レンズホルダ１１を保持するアクチュエータベース１３と、アクチュエータベース１３に対して対物レンズホルダ１１を弾性的に支持する４本の平行に配置された支持ワイヤ１２とを有している。
【００３３】
図３は、アクチュエータベース１３の斜視図である。アクチュエータベース１３は、図３に示すように、対物レンズホルダ１１とは適当な間隔を空けて垂直に配置された支持板部１３ａと、この支持板部１３ａの下端部両側に水平方向に延出するようにそれぞれ取り付けられた一対の底板部１３ｂとを有しており、側面視で略Ｌ字状になるように形成されている。一対の底板部１３ｂは、適当な間隔を空けて相互に平行に設けられている。
【００３４】
図１及び図２に示すように、対物レンズホルダ１１は、垂直に配置された板状のホルダ支持部１１ａの上部にアクチュエータベース１３の支持板部１３ａから離れる方向に水平に延出したホルダー部１１ｂが設けられており、ホルダ部１１ｂの中央部に対物レンズ９が水平状態で支持されている。そして、対物レンズ９の下方に配置された光照射部４ｂから照射される光が対物レンズ９を通って上方の光磁気ディスク６に照射される。
【００３５】
対物レンズホルダ１１とアクチュエータベース１３との間には、フォーカスコイル１６及びトラッキングコイル１７が対物レンズホルダ１１の後部に取り付けられている。アクチュエータベース１３の支持板部１３ａには、一対の板バネ２１が上下方向に適当な間隔を空けて相互に平行な状態で片持ち状態で、それぞれ支持されており、各板バネ２１の先端部にヨーク１４が支持されている。
【００３６】
ヨーク１４は、アクチュエータベース１３の支持板部１３ｂ間に、水平状態で配置された連結部１４ａと、各板バネ２１にて支持されるように連結部１４ａの一方の側部上に設けられた第１のヨーク部１４ｂと、連結部１４ａの他方の側部上に対物レンズホルダ１１のホルダ支持部１１ａに沿って垂直状態で設けられた第２のヨーク部１４ｃとを有している。板バネ２１にて支持された第１のヨーク部１４ｂには、アクチュエータベース１３の支持板部１３ａに対して遠方側の表面に第１の永久磁石１５ａが第１のヨーク部１４ｂに沿って設けられている。また、第２のヨーク部１４ｃには、第１の永久磁石１５ａと対向する表面に第２の永久磁石１５ｂが、第２のヨーク部１４ｃに沿って設けられている。
【００３７】
そして、これらヨーク１４ａ、１４ｂ、１４ｃ及び一対の永久磁石１５ａ、１５ｂによって、固定側作用力発生源であるヨーク１４が構成されている。
【００３８】
ヨーク１４は、アクチュエータベース１３の一対の底板部１３ｂ間に配置されて各底板部１３ｂとは重ならない状態となっているために、対物レンズアクチュエータ３０の全体の高さを低く抑制することができる。
【００３９】
対物レンズホルダ１１のホルダ支持部１１ａには、第２のヨーク部１４ｃ及び第２の永久磁石１５ｂを取り囲むように、フォーカスコイル１６が一体的に取り付けられており、フォーカスコイル１６における第１の永久磁石１５ａに対向する面に左右一対のトラッキングコイル１７が取り付けられている。これらフォーカスコイル１６及び一対のトラッキングコイル１７によって、可動側作用力発生源が構成されている。
【００４０】
対物レンズホルダ１１は、ホルダ支持部１１ａがフォーカスコイル１６に沿うように垂直に配置されており、アクチュエータベース１３の支持板部１３ａにそれぞれが一方の端部が支持されて、ヨーク１４の左右の各側方をそれぞれ水平状態で通過する上下各一対の支持ワイヤ１２のそれぞれの他方の端部にて上下方向及び左右方向に接動可能に支持されている。
【００４１】
フォーカスコイル１６または各トラッキングコイル１７に電流が流れると、フォーカス方向（光磁気ディスク６に垂直な方向）またはトラッキング方向（光磁気ディスク６に沿った方向）に磁束が発生し、この磁束と各永久磁石１４ａと各ヨーク部１４ｂによって発生する磁束とが相互作用することにより、対物レンズホルダ１１が、フォーカス方向またはラジアル方向に力を受け、対物レンズ９がフォーカス方向及びトラッキング方向に変位される。
【００４２】
ヨーク１４はアクチュエータベース１３に取り付けられた２枚の平行板バネ２１により弾性支持されているので、対物レンズ９がフォーカス方向またはトラッキング方向に変位した場合に発生する反力により振動が発生しても、この振動は、２枚の平行板バネ２１の弾性によって吸収される。
【００４３】
アクチュエータベース１３は、支持板部１３ａの上端部の各側面Ａ及びＡ’、支持板部１３ａと各底板部１３ｂとの段接部の各側面Ｂ及びＢ’、各底板部１３ｂの先端部におけるそれぞれの外側面Ｃ及びＣ’がハウジングと接着剤によって接着されることにより、ハウジング内に固定されている。
【００４４】
アクチュエータベース１３がハウジングと接着される各接着部Ａ、Ｂ、Ｃ及びＡ’、Ｂ’、Ｃ’は、図２に示すように、対物レンズアクチュエータ３０全体の重心Ｇの位置が、各接着部Ａ、Ｂ、Ｃ及びＡ’、Ｂ’、Ｃ’によってそれぞれ形成される三角柱の内部に位置するように、全体の質量バランスが考慮されている。
【００４５】
図６は、上記のように各接着部Ａ、Ｂ、Ｃ及びＡ’、Ｂ’、Ｃ’を配置した場合の力学的関係を説明するための概略図を示している。
【００４６】
落下や振動などによって、外部から下向きの加速度が対物レンズアクチュエータ３０に加わると、対物レンズアクチュエータ３０の重心Ｇに加速度と質量の積である力Ｆが下向きに加わる。このとき、図６（ａ）に示すように、重心Ｇが各底板部１３ｂにおける各接着部Ｂ及びＣ（Ｂ’及びＣ’）の間にあり、力Ｆが接着部Ｂ及びＣ（Ｂ’及びＣ’）の間にある重心Ｇに加わった場合、各底板部１３ｂの先端部における点Ｃに働く抗力Ｙは、Ｆ・（１−ｂ／ａ）で表される。一方、図６（ｂ）に示すように、各底板部１３ｂの先端部側の接着部Ｃが各底板部１３ｂの先端部に対して接着部Ｂ側に位置する場合には、重心Ｇに加わる力が各底板部１３ｂの先端側の接着部Ｃよりも先端側に加わるために、接着部Ｃに働く抗力ＹはＦ・（１＋ｂ／ａ）となる。すなわち、重心Ｇに加わる外力Ｆが同じであっても、重心Ｇが接着部Ｂ及びＣの間の外側にあると、点Ｃに作用する抗力ＹはＦより大きくなる。
【００４７】
各接着部Ａ、Ｂ、Ｃ及びＡ’、Ｂ’、Ｃ’が接着剤によってハウジングに接着する接着強度は面積あたり一定の値となるので、重心Ｇが各接着部の外側にあれば、各接着部Ａ、Ｂ、Ｃ及びＡ’、Ｂ’、Ｃ’のいずれかにかかる抗力は大きくなるので、各接着部Ａ、Ｂ、Ｃ及びＡ’、Ｂ’、Ｃ’のいずれかがハウジングから外れるおそれが大きくなる。
【００４８】
本実施の形態１の対物レンズアクチュエータ３０は、重心Ｇの位置が各接着部Ａ、Ｂ、Ｃ及びＡ’、Ｂ’、Ｃ’を結ぶことによって形成される三角柱の内側になるように配置したので、重心Ｇに力が加わってもそれぞれの接着部Ａ、Ｂ、Ｃ、及びＡ’、Ｂ’、Ｃ’のうちの一部にのみ過度の抗力が加わることがないので、耐衝撃及び耐振性能を向上させることができる。
（実施の形態２）
図４は、本発明の実施の形態２の対物レンズアクチュエータ４０を示す全体斜視図である。図５は、対物レンズアクチュエータ４０の側面図である。
【００４９】
この対物レンズアクチュエータ４０のアクチュエータベース１３は、各支持ワイヤ１２及び２枚の板バネ２１を固定する支持板部１３ａと、この支持板部１３ａの両側部に支持板部１３ａと垂直になるように取り付けられた２枚の板体の側板部１３ｃとを有しており、上方視で略コ字状になるように形成されている。
【００５０】
アクチュエータベース１３をこのような構造にすることにより、アクチュエータベースの側板部１３ｃは、ヨーク１４の位置と重ならないように配置されているため、対物レンズアクチュエータ１３の全体の高さが高くならないように抑えることができる。
【００５１】
アクチュエータベース１３は、支持板部１３ａと各側板部１３ｃとの段接部の各側面の上端側Ａ及びＡ’、及び下端側Ｂ及びＢ’、各側板部１３ｃの先端部における上端側Ｃ及びＣ’、及び下端側Ｄ及びＤ’がハウジングと接着剤によって接着されることにより、ハウジング内に固定されている。
【００５２】
アクチュエータベース１３がハウジングと接着される各接着部Ａ、Ｂ、Ｃ、Ｄ、及びＡ’、Ｂ’、Ｃ’、Ｄ’は、図４に示すように、対物レンズアクチュエータ４０全体の重心Ｇの位置が、各接着部Ａ、Ｂ、Ｃ、Ｄ、Ａ’、Ｂ’、Ｃ’、Ｄ’によってそれぞれ形成される４角柱の内部に位置するように、全体の質量バランスが考慮されている。
【００５３】
本実施の形態２の対物レンズアクチュエータ４０の他の構成については、実施の形態１の対物レンズアクチュエータ３０と同一の構成であり、詳しい説明は省略する。
【００５４】
本実施の形態２の対物レンズアクチュエータ４０は、重心Ｇの位置を各接着部Ａ、Ｂ、Ｃ、Ｄ及びＡ’、Ｂ’、Ｃ’、Ｄ’の内側になるように配置したので、重心Ｇに力が加わってもそれぞれの接着部Ａ、Ｂ、Ｃ、Ｄ、Ａ’、Ｂ’、Ｃ’、Ｄ’のうちの一部にのみ過度の抗力が加わることがないので、耐衝撃及び耐振性能を向上させることができる。
【００５５】
【発明の効果】
以上のように、本発明によれば、固定手段の支持板部に取り付けられた弾性支持手段により、固定側作用力発生源を弾性支持するので、対物レンズの変位に伴う反力によって発生する振動を吸収することができる。また、固定手段は、垂直に配置された板状の支持板部と、この支持板部の下部に適当な間隔を空けて相互に略水平に配置された一対の底板部とを具備し、固定手段の両側の側面おける複数の部分が光ピックアップのハウジングに対して固定されているので、全体の高さを増やすことなく、固定手段がハウジングから外れるおそれを少なくすることができ、耐振、耐衝撃性能を向上させることが可能である。このため、光ディスク装置の携帯化をより進めることが可能となる。
【図面の簡単な説明】
【図１】本発明の実施の形態１の対物レンズアクチュエータを示す斜視図である。
【図２】本発明の実施の形態１の対物レンズアクチュエータを示す側面図である。
【図３】本発明の実施の形態１の対物位レンズアクチュエータのアクチュエータベースを示す斜視図である。
【図４】本発明の実施の形態２の対物レンズアクチュエータを示す斜視図である。
【図５】本発明の実施の形態２の対物レンズアクチュエータを示す側面図である。
【図６】重心位置に係る力と各接着部が受ける抗力との力学的関係を説明する説明図である。
【図７】光磁気ディスプレイ装置を説明する説明図である。
【図８】従来の対物レンズアクチュエータを示し、（ａ）は、斜視図、（ｂ）は側面図である。
【図９】光磁気ディスクへの光磁気記録を説明するための説明図である。
【図１０】従来の他の対物レンズアクチュエータを示し、（ａ）は斜視図、（ｂ）は側面図である。
【符号の説明】
９  対物レンズ
１１  対物レンズホルダー
１２  支持ワイヤ
１３  アクチュエータベース
１３ａ  支持板部
１３ｂ  底板部
１４  ヨーク
１４ａ  連結部
１４ｂ  ヨーク部
１４ｃ  ヨーク部
１６  フォーカスコイル
１７  トラッキングコイル
２１  板バネ
３０  対物レンズアクチュエータ
【図１】
0003672086.tif 000002
【図２】
0003672086.tif 000003
【図３】
0003672086.tif 000004
【図４】
0003672086.tif 000005
【図５】
0003672086.tif 000006
【図６】
0003672086.tif 000007
【図７】
0003672086.tif 000008
【図８】
0003672086.tif 000009
【図９】
0003672086.tif 000010
【図１０】
0003672086.tif 000011